(57)【要約】      （修正有）【課題】ペット（犬）の習性でトイレシートのキワ・ヘリ部分に放尿し、尿がトイレシートの周辺のフローリング床、カーペット、畳、ベランダ床等を濡らし汚し、特にトイレシートの防水性下面と床面の両方がビジャビジャに濡れて、汚く不潔な状態の掃除が非常に大変であり、度重なると床面等の汚れ臭気等が落ちなくなる重大な課題を解決する。【解決手段】長方形等の吸保水等機能シート２、防水シート３、吸保水等機能シート４からなるペット用トイレシーツ１であり、吸保水等機能シートは吸保水機能、水分拡散機能、速乾機能、形状安定機能、防汚機能、快適触感機能、消臭等付加機能等の諸機能を有する化学合成繊維製の生地からなり、防水シートは防水性プラフィルム等である、ペット用トイレシーツ１。【選択図】図２
0003120084.tif 000002
【実用新案登録請求の範囲】
【請求項１】
長方形その他適宜形状の吸保水等機能シート、同形同大の防水シート、及び、同形同大の吸保水等機能シートの３層からなるシート状のペット用トイレシーツであり、
吸保水等機能シートは、吸保水機能、水分拡散機能、速乾機能、形状安定機能、防汚機能、快適触感機能、消臭等付加機能等の諸機能を有する化学合成繊維製の生地からなる長方形その他適宜形状のシートであり、
防水シートは、プラスチック、合成ゴム等の適宜の防水性材料のフィルム、シート等であり、
該防水シートとその両面に当接した吸保水等機能シートを加熱溶着、接着剤等の適宜の接着手段で接着した３者一体構成のものである、
ペット用トイレシーツ。
【請求項２】
吸保水等機能シートに表裏面が有る場合は、その表面側をペット用トイレシーツの正面及び背面の外面に位置せしめたものである、
請求項1のペット用トイレシーツ。
【考案の詳細な説明】
【技術分野】
【０００１】
近時、ペット（犬、猫）は多くの場合、室内・屋内で飼育されているが、そのペットの糞尿の処理は飼主にとって大きな課題であり、その対策、特に尿対策として市販の「トイレシート」を使用することが広く一般的に行なわれている。
【０００２】
図３は該トイレシートの正面図、及び、右側面図、図４は図３のＢ-Ｂ線断面拡大図である。
該トイレシート１００は、通例、長方形の薄く通水性の不織布１０１と防水性プラスチックフイルム１０２の間にシート状の吸水ポリマー１０３を介在し、これら３者１０１、１０２、１０３を一体的にシールして積層構成したものである。
【０００３】
上記トイレシートは、ペットのトイレ用プラスチックトレイ、ベット、カドラー、小屋、若しくは、トイレと決めている場所等に敷いて置き、主としてペットの尿を吸収、保持させてそれらの場所及びその周辺を糞尿で濡らしたり汚したりしないようにする目的で使用しているものである。
【０００４】
一方、近時、各大手化学繊維メーカー等から、当初は主としてスポーツ、レジャー等用として開発され、その後、その優れた機能特性が各分野に着目されて、通常の衣服用としての外、特に医療用・介護用等の方面に急速に用途を拡大している種々の繊維（原糸、フィラメント、ファイバー）（例・ポリエステル系化学合成繊維）及び、該繊維製の生地（編地・ニット、織地・織布等）が開発提供されている。
【０００５】
それら繊維・生地に共通した機能特性は、例えば、
（１）「吸保水機能」、即ち、高い吸水・保水・吸汗等の水分の吸保水機能（例、150×140ｃｍ当り200ml、ほぼ成人男性１回の尿量を吸水保持できる。）を有する、
（２）「拡散機能」、即ち、吸水・吸汗・保水した水分を繊維・生地全体に急速に拡散する機能に優れ、そのため、濡れ戻りが小さく、多量の水分を吸っても高いドライ触感を保ち、嫌なムレ感がなく、よって、保温感がある、
（３）「速乾機能」、即ち、急速拡散機能により繊維・生地全体の極めて膨大な表面積で蒸発するため、極めて早く乾く機能を発揮でき、よって、汗や雨等の乾燥、及び洗濯後の乾燥が極めて早い、
（４）「形状安定機能」、即ち、数十回洗濯しても柔軟性を失わない（綿は硬くなる）、また、皺にならず縮まない、
（５）「防汚機能」、即ち、繊維・生地に汚れが付着しにくく、汚れを短時間の水洗いで極めて簡単に落し得る、よって、繰り返し洗濯、使用しても外観が汚くならず、極めて長期間使用できる、
（６）「快適触感機能」、即ち、繊維・生地加工（ニット、パイル等）により、常にサラサラの肌触り感、フンワリと柔らかな寝心地感等の快適使用感が得られる、
（７）「消臭等付加機能」、即ち、繊維・生地の防水、消臭、耐熱、耐磨耗、耐候、その他の付加加工によって、それらの特性を付加し得る、
等々の優れた諸機能特性が各方面で認められているものである。
【考案の開示】
【考案が解決しようとする課題】
【０００６】
然るところ、上記従来のトイレシートは、その用済み後、その臭気、外観等からして、すぐに廃棄せざるを得ない「使い捨て」方式のものであり、毎日、複数枚使用（犬種の大小に伴うシート寸法の大小によるが１枚数十円〜百数十円）するため、飼主にとって相当な経済的負担になる課題があった。
【０００７】
特に、ペット（犬）は、多くの場合、尿を種々の場所や物のカド・スミ部分やキワ・ヘリ部分にする習性が有るため、躾けてトイレを置いた場合や上記トイレシートを敷いた場合でも、また、それらに充分な吸水機能や広い面積があっても、その中に放尿せずに、わざわざトイレやトイレシート等の角・隅部分や際（きわ）・縁部分に放尿してしまう場合が多く、
【０００８】
そのため、尿がトイレやトイレシートの周辺の床面等（フローリング床、カーペット、畳、マット、ベランダ床等）を濡らし汚してしまい、更に該トイレの下面やトイレシートの下面（防水シート）と床面の間などに拡がってしまって、トイレを退かし、或はトイレシートを剥がすと、それらの下面と床面の両方がビジャビジャに濡れてしまっていることが多く、
その度に、飼主は、汚く不潔な状態の掃除が非常に大変である上に、それが度重なると床面等の汚れ、臭気等が洗浄等しても落ちなくなってしまうという、極めて重大な課題があった。
【課題を解決するための手段】
【０００９】
そこで、本考案は、長方形その他適宜形状の吸保水等機能シート、同形同大の防水シート、及び、同形同大の吸保水等機能シートの３層からなるシート状のペット用トイレシーツであり、
【００１０】
吸保水等機能シートは、吸保水機能、水分拡散機能、速乾機能、形状安定機能、防汚機能、快適触感機能、消臭等付加機能等の諸機能を有する化学合成繊維製の生地からなる長方形その他適宜形状のシートであり、
【００１１】
防水シートは、プラスチック、合成ゴム等の適宜の防水性材料のフィルム、シート等であり、
【００１２】
該防水シートとその両面に当接した吸保水等機能シートを加熱溶着、接着剤等の適宜の接着手段で接着した３者一体構成のものである、ペット用トイレシーツによって課題を解決したものである。
【考案の効果】
【００１３】
従来のトイレシートやトイレ用のプラスチックトレイ等の場合は、ペット（犬）が尿を種々の場所や物のカド・スミ部分やキワ・ヘリ部分にする習性が有るため、わざわざトイレやトイレシート等のカド・スミ部分やキワ・ヘリ部分に放尿してしまう場合が多く、よって、尿がトイレやトイレシートの周辺の床面（フローリング床、カーペット、畳、ベランダ床等）を濡らし汚してしまい、トイレを退かし、或はトイレシートを剥がすと、それらの下面と床面の両方がビジャビジャに濡れてしまっていることが多く、その度に、飼主は、汚く不潔な状態の掃除が非常に大変である上に、それが度重なると床面等の汚れ、臭気等が洗浄等しても落ちなくなってしまうという、極めて重大な課題があったが、
【００１４】
その点、本考案ペット用トイレシーツをトイレシートに換えて使用し、或いはトイレ用のトレイ等の下に敷いて使用すれば、ペットの放尿がそれらのカド・スミ部分やキワ・ヘリ部分から外れて周辺の床面（フローリング床、カーペット、畳、ベランダ床等）を濡らし汚してしまった場合でも、本考案ペット用トイレシーツの両面吸保水等機能シートの中の床面側の吸保水等機能シートがそれらの尿を効果的に吸保水等するため、床面（フローリング床、カーペット、畳、ベランダ床等）を濡らし汚すことがなく、よって、飼主の掃除も殆ど不要若しくは極めて簡単である上に、従来のように度重なる濡れ汚れで床面等の汚れ、臭気等が落ちなくなる恐れも無くし得る、極めて革新的な効果がある。
【００１５】
本考案ペット用トイレシーツの両面吸保水等機能シートによる、吸保水機能、水分拡散機能、速乾機能よって、尿で濡れても吸水・吸汗・保水した水分を繊維・生地全体に急速に拡散して、濡れ戻りが小さく、多量の水分を吸っても高いドライ触感を保ち、嫌なムレ感がなく、よって、保温感があると共に、サラサラした快適な触感を保持できる。
【００１６】
速乾機能、形状安定機能、防汚機能、消臭等付加機能等の諸機能によって、何十回でも繰り返し洗濯して使え、消臭加工によって悪臭が残らず、汚れ除去機能と速乾機能によって洗濯が簡単な水洗いで済むなど極めて簡単で楽な特徴がある。
【００１７】
従来のトイレシートのように使い捨てでなく、何十回でも繰り返し洗濯して使えるため、極めて経済的で飼主の負担を軽減できる。
【００１８】
特に、トイレシートのように毎日、毎回廃棄せずに済むため、極めて環境に優しくし得る多大の特徴がある。
【００１９】
また、従来のトイレシートの場合、ペットがじゃれたり、噛んだりして、破り千切ってしまって、トイレシートを駄目にしてしまったり、周辺を散らかしたりする課題があり、特に子犬の場合、トイレシートを破り中の吸水ポリマーを食べてしまい、それが胃の中で膨張して病気になる事故が発生して問題になっていたが、その点、本考案ペット用トイレシーツは丈夫な布製であるため、子犬等が噛んでも容易に破られる恐れがなく、また、吸水ポリマーを使用していないため、極めて安全な特徴がある。
【考案を実施するための最良の形態】
【００２０】
長方形その他適宜形状の吸保水等機能シート、同形同大の防水シート、及び、同形同大の吸保水等機能シートの３層からなるシート状のペット用トイレシーツであり、
【００２１】
該防水シートとその両面に当接した吸保水等機能シートを加熱溶着、接着剤等の適宜の接着手段で接着した３者一体的構成のものであり、また、吸保水等機能シートに表裏面が有る場合は、その表面側をペット用トイレシーツの正面及び背面の外面に位置せしめたものである、ペット用トイレシーツ。
【実施例１】
【００２２】
図１は本考案実施例１の正面図、及び、右側面図、図２は図１のＡ−Ａ線断面拡大図である。
【００２３】
上記の本考案の実施例につき説明すると、
長方形（図示例）の吸保水等機能シート２、同形同大の防水シート３、及び、同形同大の吸保水等機能シート４の３層からなるシート状のペット用トイレシーツ１であり、
【００２４】
吸保水等機能シート２、４は２枚とも同形同大であって、吸保水機能、水分拡散機能、速乾機能、形状安定機能、防汚機能、快適触感機能、消臭等付加機能等の諸機能を有する化学合成繊維製の生地からなり、
【００２５】
防水シート３は、プラスチック、合成ゴム等の適宜の防水性材料のフィルム、シート等であり、
両面の吸保水等機能シート２、４の間に防水シート３による防水層を形成して、両面の吸保水等機能シート２、４それぞれに諸機能を保有せしめており、
【００２６】
該防水シート３とその両面に当接した吸保水等機能シート２、４を接着手段・加熱溶着（実施例・熱溶融性プラスチックフィルムの加熱溶融溶着）で接着した３者一体構成のものである、ペット用トイレシーツ１である。
【００２７】
なお、図示例のように、吸保水等機能シートの表面側をパイル状にして、フワフワ、サラサラな快適使用触感を保有させた場合など、吸保水等機能シートに表裏面が有る場合は、その表面側（パイル面）をペット用トイレシーツの正面及び背面の外面に位置せしめる。
【００２８】
本考案ペット用トイレシーツの実施例のサイズは、小形犬用３８×５０ｃｍ、中形犬用５０×６５ｃｍ、大形犬用６５×９５ｃｍである。
【００２９】
また、本考案ペット用トイレシーツは、洗濯機による温湯洗濯、脱水機使用、乾燥機使用等も可である。
【産業上の利用可能性】
【００３０】
本考案は、上記のようなペット用トイレシーツとしての外、例えば、ペットのシャンプー後や雨の日の散歩後の濡れ防止用マット・シートとして、ペットのランチマット・シート、水飲みマット・シート、室内等の犬舎やサークルの汚れ防止マット・シートとして、ペット同行の車のシートカバーやアウトドア用マットとして、最適なマット・シートをし得るものである。
【００３１】
特に、近時大きな社会問題になりつつある、老齢・病気等で要介護・看護のペットの介護・看護用シーツ・マット・シートとして、諸機能特性と共に充分快適な肌ざわりと寝心地等を有するものを提供し得る。
【図面の簡単な説明】
【００３２】
【図１】本考案実施例１の正面図、及び、右側面図。
【図２】図１のＡ−Ａ線断面拡大図。
【図３】従来のトイレシートの正面図、及び、右側面図。
【図４】図３のＢ-Ｂ線断面拡大図。
【符号の説明】
【００３３】
１  ペット用トイレシーツ
２  吸保水等機能シート
３  防水シート
４  吸保水等機能シート
１００  従来のトイレシート
１０１  不織布
１０２  防水性プラスチックフイルム
１０３  吸水ポリマー
【図１】
0003120084.tif 000003
【図２】
0003120084.tif 000004
【図３】
0003120084.tif 000005
【図４】
0003120084.tif 000006